(57)【要約】【課題】パネル取付溝に対する外気の導入性及び排水性に優れる固定障子の提供を目的とする。【解決手段】下枠補助部材と排水部材とを備え、下枠補助部材は、パネル取付溝を有し、下枠の突条に跨って取り付けたものであり、排水部材は、室外側壁のない横断面が略コ字形状であり、内部に下枠補助部材の室外側壁に当接する当接片を有し、当接片で突っ張ることで下枠補助部材の室外側壁との間に隙間を形成するとともにその下端を突条よりも室外側に位置させてパネル取付溝の底壁に設けた底壁孔に取り付けるものであり、排水部材に設けた排水口が下枠の突条の室外側に位置していることを特徴とする。【選択図】  図１
2007284982.tif 000002
【特許請求の範囲】
【請求項１】
下枠補助部材と排水部材とを備え、
下枠補助部材は、パネル取付溝を有し、下枠の突条に跨って取り付けたものであり、
排水部材は、室外側壁のない横断面が略コ字形状であり、内部に下枠補助部材の室外側壁に当接する当接片を有し、当接片で突っ張ることで下枠補助部材の室外側壁との間に隙間を形成するとともにその下端を突条よりも室外側に位置させてパネル取付溝の底壁に設けた底壁孔に取り付けるものであり、排水部材に設けた排水口が下枠の突条の室外側に位置していることを特徴とする固定障子。
【発明の詳細な説明】
【技術分野】
【０００１】
本発明は、固定障子に関する。
【背景技術】
【０００２】
片引き窓やフィックス窓等において、固定障子のパネルは、下枠補助部材にシール材を用いて取り付けてあるが、パネル取付溝内に雨水が浸入することがある。
このシール部分から浸した雨水がパネル取付溝に滞留すると室内漏水の原因となる。
特許文献１には、ガラス取付溝に排水孔を設けて浸入した雨水を排水するとともに外気を導入して等圧空間とする技術を開示するがガラス取付溝の底部に設けた排水孔が雨水等でふさがれると外気が入らずに等圧空間ができなくなる恐れがある。
【０００３】
【特許文献１】特開平７−１７３８９３号公報
【発明の開示】
【発明が解決しようとする課題】
【０００４】
本発明は上記技術的課題に鑑みて、パネル取付溝に対する外気の導入性及び排水性に優れる固定障子の提供を目的とする。
【課題を解決するための手段】
【０００５】
本発明に係る固定障子は、下枠補助部材と排水部材とを備え、下枠補助部材は、パネル取付溝を有し、下枠の突条に跨って取り付けたものであり、排水部材は、室外側壁のない横断面が略コ字形状であり、内部に下枠補助部材の室外側壁に当接する当接片を有し、当接片で突っ張ることで下枠補助部材の室外側壁との間に隙間を形成するとともにその下端を突条よりも室外側に位置させてパネル取付溝の底壁に設けた底壁孔に取り付けるものであり、排水部材に設けた排水口が下枠の突条の室外側に位置していることを特徴とする。
【発明の効果】
【０００６】
本発明に係る固定障子においては、パネル取付溝の底壁に設けた底壁孔に取り付けた排水部材に、室外側壁がなく、横断面が略コ字形状で内部に下枠補助部材の室外側壁に突っ張る当接片を設けたために、この当接片により排水部材と下枠補助部材の室外側壁との間に隙間ができるので外気の導入性に優れ、パネル取付溝の内部が等圧になり排水性が高い。
また、排水部材をパネル取付溝の底壁孔に取り付けるだけで、この当接片にて下枠補助部材との間に隙間ができるので組付けやすく、生産性が高い。
【発明を実施するための最良の形態】
【０００７】
本発明に係る固定障子は外動片引き窓、内動片引き窓、フィックス窓（嵌め殺し窓）等パネルを固定した窓一般に適用できる。
以下外動片引き窓を例に説明する。
図３に片引き窓１０の縦断面図を示し、図４にその横断面図を示す。
サッシ枠は下枠１２と上枠１１及び室内側から室外側に向かって右縦枠１３、左縦枠１４とで構成した矩形枠になっている。
このサッシ枠内の室外側にスライド自在に可動障子３０を装着し、室内側に固定障子２０を取り付けてある。
固定障子２０は下枠補助部材２２と上枠補助部材２１、右補助部材２３と縦骨２４にて枠を形成し、いわゆる嵌め殺し方式にてガラス等のパネル２５を取り付けてある。
上枠補助部材２１は、下方に開口するパネル取付溝２１ａを有し、パネル取付溝２１ａに挿入したパネル２５の上端を室内側及び室外側からパッキン部材又はシール材２１ｂにて水密に支持している。
下枠補助部材２２は、上方に開口するパネル取付溝２７を形成するように室外側壁２２ａと室内側壁２２ｂの間に底壁２２ｃを配設し、底壁２２ｃの下にベース部２２ｇを設けてベース部２２ｇの下に嵌着部材２２ｈを連結してある。
パネル取付溝２７の内側には、セッティング部材２２ｅとパッキン部材又はシール材２２ｆとを配設してパネル取付溝２７に挿入したパネル２５の下端を室内側及び室外側から支持している。
パネル２５の下端を緩衝性を有するセッテイング部材２２ｅに載置するのでパネル取付溝２７にパッキン部材等でふさがれた空洞空間２７ｂができる。
下枠補助部材２２は、嵌着部材２２ｈに設けた嵌着溝２２ｉを下枠１２の突条１２ａに嵌着することで、パネル２５を上枠１１と下枠１２の間であって突条１２ａ上に配設してある。
下枠補助部材２２のパネル取付溝２７の底壁２２ｃには、パッキン部材又はシール材２２ｆの劣化等により、このパッキン部材又はシール材とパネル２５の下端との間から浸入した場合の雨水を排水するための底壁孔２２ｄを穿孔してある。
この底壁孔２２ｄには雨水等をパネル取付溝下面２７ａから突条１２ａの室外側へ誘導して流すための排水部材４０を取り付けてある。
下枠補助部材２２の長手方向に対する排水部材４０の取付位置及び個数に制限はないが図４に示した例は、左右のコーナー付近にそれぞれ取付けた例を示し、長手方向中央部に追加してもよい。
また、下枠に設けたレール１２ｂ上を可動障子が走行し、図示を省略したが突条１２ａとレール１２ｂとの間に流れ込んだ雨水を室外に排水する排水口を設けてある。
【０００８】
図１は、排水部材４０付近を拡大した縦断面図を示し、図２は排水部材４０を下枠補助部材２２の底壁孔２２ｄに嵌め込む状態の説明図を示す。
排水部材４０は、室内側壁４１とその両側に見付け方向側壁４２とを有して室外側壁のない断面コ字形状でほぼ下向きに水を流す溝形としてあり、上側に排水導入口４４を形成し、下側に排水口４５を形成し、室外側には開口部４３を有している。
排水導入口４４の室外側壁４１から見付け方向側壁４２にわたる縁部にはフランジ４６を形成してある。
排水部材４０の断面コ字形状内部であって、室内側壁４１の室外側面には、室外側方向に突出し、垂直方向に立設する当接片４７を形成してあり、当接片４７の突当部４７ａは下枠補助部材２２の室外側壁２２ａに突き当たるようになっている。
次に排水部材４０の取付方法を説明する。
下枠補助部材２２のパネル取付溝２７の底壁孔２２ｄの室内側の縁部に排水部材４０の室内側壁４１をあてがいつつ、当接片４７の室外側外縁の突当部４７ａを下枠補助部材２２の室外側壁２２ａに突き当てて突っ張らせつつ底壁孔２２ｄに上方から嵌め込み、排水口４５をベース部２２ｇの切欠穴２２ｊに通し、フランジ４６を底壁孔２２ｄの室内側及び見付け方向側の縁部に押し付けて係止爪４８をスナップ係止する。
排水部材４０は、底壁孔２２ｄへの取付状態で、その下端が突条１２ａよりも室外側にあり、排水口４５が突条１２ａの室外側に位置している。
これにより、排水部材４０はパネル取付溝２７に浸入した雨水をパネル取付溝下面２７ａから、排水導入口４４及び排水口４５を経由し、下枠の突条１２ａの外側に誘導し排水するように作用し、突条１２ａが遮蔽壁となり、それより室内側に雨水が廻り込むのを防止している。
このとき、当接片４７は、見付け方向側壁４２の室外側の外縁部よりも室外側に突出させて突当部４７ａを形成してあり、排水部材４０の底壁孔２２ｄへの取付状態では排水口４５より上部に位置する見付け方向側壁４２の室外側の外縁部と下枠補助部材２２の室外側壁２２ａとの間に隙間２６を形成するので外気がこの隙間からパネル取付溝２１ａの内側の空間に入り込み、等圧空間となることで排水性が優れる。
また、排水口４５よりも上部に外気導入口となる隙間２６が存在するのでこの外気導入口が雨水でふさがれることもない。
【０００９】
図５に排水部材の他の実施例を示す。
本発明において、排水部材が室外側壁のない横断面略コ字形状とは、図５に示した排水部材１４０のように排水導入口１４４、排水口１４５及び突っ張り用の当接片１４７と突当部１４７ａを有していれば、室内側壁１４１が横断面円弧状であってもよく、また当接片１４７を複数設けてもよい。
【図面の簡単な説明】
【００１０】
【図１】本発明に係る固定障子を片引き窓に適用した実施例の排水部材付近を拡大した縦断面図を示す。
【図２】排水部材を下枠補助に嵌め込む状態の説明図を示す。
【図３】片引き窓の実施例の縦断面図を示す。
【図４】片引き窓の実施例の横断面図を示す。
【図５】排水部材の他の実施例を示す。
【符号の説明】
【００１１】
１０    片引き窓
１２    下枠
１２ａ  突条
２０    固定障子
２２    下枠補助部材
２２ａ  室外側壁
２２ｄ  底壁孔
２６    隙間
２７    パネル取付溝
３０    可動障子
４０    排水部材
４１    室内側壁
４２    見付け方向側壁
４３    室外側開口部
４４    排水導入口
４５    排水口
４６    フランジ
４７    当接片
【図１】
2007284982.tif 000003
【図２】
2007284982.tif 000004
【図３】
2007284982.tif 000005
【図４】
2007284982.tif 000006
【図５】
2007284982.tif 000007